(57)【要約】【課題】画像が形成された記録材に対する処理を、パラレル通信を行う通信手段及びシリアル通信を行う通信手段のうち処理の内容に応じた通信手段を介して制御する。【解決手段】本体制御部１００を有する本体装置１０と、インターフェイス制御部２００を有するインターフェイス装置２０と、第１後処理制御部３００を有する第１後処理装置３０と、第２後処理制御部４００を有する第２後処理装置４０と、第３後処理制御部５００を有する第３後処理装置５０とからなるシステムである。このシステムにおいて、本体制御部１００とインターフェイス制御部２００、インターフェイス制御部２００と第２後処理制御部４００、インターフェイス制御部２００と第３後処理制御部５００の間は、シリアル通信が行われ、インターフェイス制御部２００と第１後処理制御部３００の間はパラレル通信が行われるように構成されている。【選択図】図２
2010064408.tif 000002
【特許請求の範囲】
【請求項１】
記録材に画像を形成する画像形成装置と、
前記画像形成装置により画像が形成された前記記録材に対して第１の処理を施す第１の処理装置と、
前記画像形成装置により画像が形成された前記記録材に対して第２の処理を施す第２の処理装置と、
前記第１の処理装置における前記第１の処理をパラレル通信を行う通信手段を介して制御し、前記第２の処理装置における前記第２の処理をシリアル通信を行う通信手段を介して制御する制御装置と
を備えたことを特徴とする画像形成システム。
【請求項２】
前記第１の処理は、個々の前記記録材に対して施す処理であることを特徴とする請求項１記載の画像形成システム。
【請求項３】
前記第２の処理は、前記記録材の集合に対して施す処理であることを特徴とする請求項２記載の画像形成システム。
【請求項４】
前記第１の処理は、前記記録材に穿孔する処理であることを特徴とする請求項１記載の画像形成システム。
【請求項５】
前記第２の処理は、前記記録材を積載する処理、前記記録材に綴じを施す処理、前記記録材に折りを施す処理の何れかであることを特徴とする請求項４記載の画像形成システム。
【請求項６】
画像が形成された記録材に対して第１の処理を施す第１の処理装置との間でパラレル通信を行う第１の通信手段と、
画像が形成された記録材に対して第２の処理を施す第２の処理装置との間でシリアル通信を行う第２の通信手段と、
前記第１の処理装置における前記第１の処理を前記第１の通信手段を介して制御し、前記第２の処理装置における前記第２の処理を前記第２の通信手段を介して制御する制御手段と
を備えたことを特徴とする処理制御装置。
【請求項７】
前記記録材に画像を形成する画像形成装置との間でシリアル通信を行う第３の通信手段を更に備え、
前記制御手段は、前記画像形成装置から前記第３の通信手段を介して受け取った情報に基づいて、前記第１の処理及び前記第２の処理を制御することを特徴とする請求項６記載の処理制御装置。
【請求項８】
記録材に画像を形成する画像形成手段と、
前記画像形成手段により画像が形成された前記記録材に対して第１の処理を施す第１の処理装置との間でパラレル通信を行う第１の通信手段と、
前記画像形成手段により画像が形成された前記記録材に対して第２の処理を施す第２の処理装置との間でシリアル通信を行う第２の通信手段と、
前記第１の処理装置における前記第１の処理を前記第１の通信手段を介して制御し、前記第２の処理装置における前記第２の処理を前記第２の通信手段を介して制御する制御手段と
を備えたことを特徴とする画像形成装置。
【発明の詳細な説明】
【技術分野】
【０００１】
本発明は、画像形成システム、処理制御装置、画像形成装置に関する。
【背景技術】
【０００２】
用紙束に綴じ針を打針する綴じ製本装置、用紙束を二つ折りする中折り製本装置、用紙束を糊付け接着する第１の糊付け製本装置、糊付け接着された用紙束の表裏面に表紙をくるみ接着する第２の糊付け製本装置を直列に順次接続した構成をなし、各製本装置の何れかの装置を選択して、各装置の処理を複数組み合わせた製本処理を実行可能にする後処理装置が知られている（例えば、特許文献１参照）。
【０００３】
【特許文献１】特開２００２−３２６４７３号公報
【発明の開示】
【発明が解決しようとする課題】
【０００４】
ここで、一般に、画像が形成された記録材に対する処理を、処理の内容に応じた通信手段を介して制御することはなかった。従って、例えば個々の記録材に対して施す処理を、記録材のセットに対して施す処理とは別に、パラレル通信を行う通信手段を介して高速に制御するようなことはできなかった。
【０００５】
本発明の目的は、画像が形成された記録材に対する処理を、パラレル通信を行う通信手段及びシリアル通信を行う通信手段のうち処理の内容に応じた通信手段を介して制御することにある。
【課題を解決するための手段】
【０００６】
請求項１に記載の発明は、記録材に画像を形成する画像形成装置と、前記画像形成装置により画像が形成された前記記録材に対して第１の処理を施す第１の処理装置と、前記画像形成装置により画像が形成された前記記録材に対して第２の処理を施す第２の処理装置と、前記第１の処理装置における前記第１の処理をパラレル通信を行う通信手段を介して制御し、前記第２の処理装置における前記第２の処理をシリアル通信を行う通信手段を介して制御する制御装置とを備えたことを特徴とする画像形成システムである。
請求項２に記載の発明は、前記第１の処理は、個々の前記記録材に対して施す処理であることを特徴とする請求項１記載の画像形成システムである。
請求項３に記載の発明は、前記第２の処理は、前記記録材の集合に対して施す処理であることを特徴とする請求項２記載の画像形成システムである。
請求項４に記載の発明は、前記第１の処理は、前記記録材に穿孔する処理であることを特徴とする請求項１記載の画像形成システムである。
請求項５に記載の発明は、前記第２の処理は、前記記録材を積載する処理、前記記録材に綴じを施す処理、前記記録材に折りを施す処理の何れかであることを特徴とする請求項４記載の画像形成システムである。
請求項６に記載の発明は、画像が形成された記録材に対して第１の処理を施す第１の処理装置との間でパラレル通信を行う第１の通信手段と、画像が形成された記録材に対して第２の処理を施す第２の処理装置との間でシリアル通信を行う第２の通信手段と、前記第１の処理装置における前記第１の処理を前記第１の通信手段を介して制御し、前記第２の処理装置における前記第２の処理を前記第２の通信手段を介して制御する制御手段とを備えたことを特徴とする処理制御装置である。
請求項７に記載の発明は、前記記録材に画像を形成する画像形成装置との間でシリアル通信を行う第３の通信手段を更に備え、前記制御手段は、前記画像形成装置から前記第３の通信手段を介して受け取った情報に基づいて、前記第１の処理及び前記第２の処理を制御することを特徴とする請求項６記載の処理制御装置である。
請求項８に記載の発明は、記録材に画像を形成する画像形成手段と、前記画像形成手段により画像が形成された前記記録材に対して第１の処理を施す第１の処理装置との間でパラレル通信を行う第１の通信手段と、前記画像形成手段により画像が形成された前記記録材に対して第２の処理を施す第２の処理装置との間でシリアル通信を行う第２の通信手段と、前記第１の処理装置における前記第１の処理を前記第１の通信手段を介して制御し、前記第２の処理装置における前記第２の処理を前記第２の通信手段を介して制御する制御手段とを備えたことを特徴とする画像形成装置である。
【発明の効果】
【０００７】
請求項１の発明によれば、画像が形成された記録材に対する処理を、パラレル通信を行う通信手段及びシリアル通信を行う通信手段のうち処理の内容に応じた通信手段を介して制御できるようになる。
請求項２の発明によれば、本構成を有していない場合に比較して、個々の記録材に対する処理を高速に制御できるようになる。
請求項３の発明によれば、本構成を有していない場合に比較して、記録材の集合に対する処理の複雑な制御も行いつつ、個々の記録材に対する処理を高速に制御できるようになる。
請求項４の発明によれば、本構成を有していない場合に比較して、記録材に穿孔する処理を高速に制御できるようになる。
請求項５の発明によれば、本構成を有していない場合に比較して、記録材を積載する処理、記録材に綴じを施す処理、記録材に折りを施す処理の何れかに対する複雑な制御も行いつつ、記録材に穿孔する処理を高速に制御できるようになる。
請求項６の発明によれば、画像が形成された記録材に対する処理を、パラレル通信を行う通信手段及びシリアル通信を行う通信手段のうち処理の内容に応じた通信手段を介して制御できるようになる。
請求項７の発明によれば、画像が形成された記録材に対する処理を、画像を形成する装置からは独立した装置で制御できるようになる。
請求項８の発明によれば、画像が形成された記録材に対する処理を、パラレル通信を行う通信手段及びシリアル通信を行う通信手段のうち処理の内容に応じた通信手段を介して制御できるようになる。
【発明を実施するための最良の形態】
【０００８】
以下、添付図面を参照して、本発明を実施するための最良の形態（以下、「実施の形態」という）について詳細に説明する。
図１は、本実施の形態における画像形成システムの全体構成を示した図である。
図示するように、この画像形成システムは、画像形成装置１０と、搬送装置２０と、第１後処理装置３０と、第２後処理装置４０と、第３後処理装置５０とからなる。
【０００９】
画像形成装置１０は、例えば電子写真方式によって記録材の一例である用紙に画像形成を行う。具体的には、次のような構成を備える。
即ち、画像形成装置１０は、一定の間隔を置いて並列的に配置された４つの画像形成ユニット１１Ｙ,１１Ｍ,１１Ｃ,１１Ｋ（以下、画像形成ユニット１１とも総称する）を備える。各画像形成ユニット１１は、静電潜像を形成してトナー像を保持する感光体ドラム１３、感光体ドラム１３の表面を所定電位で一様に帯電する帯電器１４、感光体ドラム１３上に形成された静電潜像を現像する現像器１５、転写後の感光体ドラム１３表面を清掃するドラムクリーナ１６を備えている。
また、各画像形成ユニット１１に対応して、入力された印刷データや画像データに基づいて感光体ドラム１３を露光するレーザ露光装置１２Ｙ,１２Ｍ,１２Ｃ,１２Ｋが設けられている。
ここで、各画像形成ユニット１１は、現像器１５に収納されたトナーを除いて、略同様に構成されている。そして、各画像形成ユニット１１は、それぞれがイエロー（Ｙ）、マゼンタ（Ｍ）、シアン（Ｃ）、黒（Ｋ）のトナー像を形成する。
【００１０】
また、画像形成装置１０は、各画像形成ユニット１１の感光体ドラム１３にて形成された各色のトナー像が多重転写される中間転写ベルト１９、各画像形成ユニット１１の各色トナー像を一次転写部Ｔ１にて中間転写ベルト１９に順次転写（一次転写）させる一次転写ロール１７、中間転写ベルト１９上に転写された重畳トナー像を二次転写部Ｔ２にて用紙Ｐに一括転写（二次転写）させる二次転写ロール１８、二次転写された画像を用紙Ｐ上に定着させる定着器１５０を備えている。
【００１１】
搬送装置２０は、画像形成装置１０から出力された用紙Ｐを後続する後処理装置に搬送する。
第１後処理装置３０は、３台の後処理装置の中で最上流に設けられ、用紙Ｐに対して後処理を施す第１後処理機構３１を備える。ここで、第１後処理機構３１は、個々の用紙Ｐに対する後処理を施すものとする。そのような後処理として、例えば、用紙Ｐに穿孔する処理がある。即ち、第１後処理装置３０としては、パンチ穴開け装置が例示される。本実施の形態では、記録材に対して第１の処理を施す第１の処理装置の一例として、第１後処理装置３０を設けている。
【００１２】
第２後処理装置４０は、３台の後処理装置の中で中央に設けられ、用紙Ｐに対して後処理を施す第２後処理機構４１を備える。ここで、第２後処理機構４１は、個々の用紙Ｐに対する後処理以外の後処理を施すものとする。そのような後処理として、例えば、大量の用紙Ｐを積載する積載処理がある。即ち、第２後処理装置４０としては、大容量スタック装置が例示される。但し、第２後処理機構４１は、個々の用紙Ｐに対する後処理以外の後処理として、特に、用紙Ｐのセットに対する後処理を施す機構を含んでいてもよい。例えば、用紙Ｐをセットごとに取り出し易くするようにセットごとに幅方向又は搬送方向の位置を揃える機構を含んでもよい。本実施の形態では、記録材に対して第２の処理を施す第２の処理装置の一例として、第２後処理装置４０を設けている。
【００１３】
第３後処理装置５０は、３台の後処理装置の中で最下流に設けられ、用紙Ｐに対して後処理を施す第３後処理機構５１を備える。ここで、第３後処理機構５１も、個々の用紙Ｐに対する後処理以外の後処理を施すものとする。特に、第３後処理機構５１は、用紙Ｐのセットに対する後処理を施すものとする。そのような後処理として、例えば、用紙Ｐのセットごとに綴じを施す綴じ処理や、用紙Ｐのセットごとに折りを施す折り処理がある。即ち、第３後処理装置５０としては、綴じ折り装置が例示される。但し、第３後処理機構５１は、個々の用紙Ｐに対する後処理を施す機構を一部に含んでいてもよい。例えば、用紙Ｐに綴じを施すに先だって、個々の用紙Ｐに穿孔する機構を含んでいてもよい。本実施の形態では、記録材に対して第２の処理を施す第２の処理装置の一例として、第３後処理装置５０を設けている。
【００１４】
尚、図１には、３台の後処理装置を示したが、台数はこれに限られるものではない。
また、後処理装置は、自由に選択して組み合わせることができる。例えば、用紙Ｐに折りのみを施す折り装置や、用紙Ｐに綴じや折りだけでなく裁断等の処理も施す綴じ製本装置を選択して組み合わせてもよい。更に、画像形成装置１０や搬送装置２０を製造するベンダと同じベンダの後処理装置を接続してもよいし、異なるベンダの後処理装置を接続してもよい。
【００１５】
ところで、このように、個々の用紙に対する後処理を施す後処理装置と、それ以外の後処理装置、特に、用紙のセットに対する後処理を施す後処理装置とが、画像形成装置１０に接続されている場合、各後処理装置を後処理の内容に応じた通信手段を用いて制御することが、画像形成システム全体の生産性を向上させる観点からは望ましい。
そこで、本実施の形態では、搬送装置２０が、個々の用紙に対する後処理を施す第１後処理装置３０をパラレル通信により制御し、それ以外の後処理を施す第２後処理装置４０及び第３後処理装置５０をシリアル通信により制御するようにしている。
【００１６】
次に、この画像形成システムについて、第１後処理装置３０、第２後処理装置４０、第３後処理装置５０に対する制御の観点から説明する。
図２は、このような画像形成システムの機能構成例を示した図である。
画像形成システムは、図１に示したのと同様、画像形成装置１０と、搬送装置２０と、第１後処理装置３０と、第２後処理装置４０と、第３後処理装置５０とを備える。尚、以下では、第１後処理装置３０、第２後処理装置４０、第３後処理装置５０に対する制御に着目し、制御命令を出す本体という意味で、画像形成装置１０を本体装置１０と称し、本体装置１０と第１後処理装置３０、第２後処理装置４０、第３後処理装置５０とのインターフェイスという意味で、搬送装置２０をインターフェイス装置２０と称することにする。
【００１７】
図示するように、本体装置１０は、本体装置１０の動作を制御する本体制御部１００を有し、インターフェイス装置２０は、インターフェイス装置２０の動作を制御するインターフェイス制御部２００を有する。ここで、インターフェイス制御部２００は、本体装置１０からの指示に従い、第１後処理装置３０、第２後処理装置４０、第３後処理装置５０を制御する動作や、第１後処理装置３０、第２後処理装置４０、第３後処理装置５０から受け取った情報を本体装置１０に伝える動作も行う。
【００１８】
また、第１後処理装置３０は、第１後処理装置３０の動作を制御する第１後処理制御部３００を有し、第２後処理装置４０は、第２後処理装置４０の動作を制御する第２後処理制御部４００を有し、第３後処理装置５０は、第３後処理装置５０の動作を制御する第３後処理制御部５００を有する。
【００１９】
このような画像形成システムにおいて、本体制御部１００とインターフェイス制御部２００との間、インターフェイス制御部２００と第２後処理制御部４００との間、及び、インターフェイス制御部２００と第３後処理制御部５００との間は、機能重視の制御に使用されるシリアル通信回線で接続されている。また、インターフェイス制御部２００と第１後処理制御部３００との間は、高速制御可能なパラレル通信回線で接続されている。即ち、第１後処理装置３０、第２後処理装置４０、第３後処理装置５０を本体装置１０に直結とはせず、シリアルとパラレルの両方の通信手段を有する専用の装置であるインターフェイス装置２０を介して接続している。本実施の形態では、第１の処理装置における第１の処理及び第２の処理装置における第２の処理を制御する制御装置の一例として、また、第１の処理装置との間でパラレル通信を行う第１の通信手段と、第２の処理装置との間でシリアル通信を行う第２の通信手段と、第１の処理装置における第１の処理及び第２の処理装置における第２の処理を制御する制御手段とを備えた処理制御装置の一例として、インターフェイス装置２０を設けている。
【００２０】
次に、インターフェイス制御部２００の更に詳細な機能構成について説明する。
図３は、インターフェイス制御部２００の機能構成例を示したブロック図である。
図示するように、インターフェイス制御部２００は、本体通信部２１と、信号解析部２２と、シリアル通信部２３と、パラレル通信部２４とを備える。
本体通信部２１は、本体装置１０にて画像が形成された用紙に対して如何なる後処理を施すかを選択する情報（以下、「後処理選択情報」という）を、本体装置１０からシリアル通信により受信する。また、第１後処理装置３０、第２後処理装置４０、第３後処理装置５０の状態に関する情報（以下、「状態情報」という）を、本体装置１０に対してシリアル通信により送信する。本実施の形態では、画像形成装置との間でシリアル通信を行う第３の通信手段の一例として、本体通信部２１を設けている。
【００２１】
信号解析部２２は、本体通信部２１が本体装置１０から受信した信号を解析し、解析結果に応じて、シリアル通信部２３又はパラレル通信部２４に情報を伝える。また、シリアル通信部２３が第２後処理装置４０又は第３後処理装置５０から受信した信号やパラレル通信部２４が第１後処理装置３０から受信した信号を解析し、解析結果に応じて本体通信部２１に情報を伝える。本実施の形態では、第１の処理装置における第１の処理及び第２の処理装置における第２の処理を制御する制御手段の一例として、信号解析部２２を設けている。
【００２２】
シリアル通信部２３は、第２後処理装置４０及び第３後処理装置５０との間でシリアル通信による通信を行う。本実施の形態では、第２の処理装置との間でシリアル通信を行う第２の通信手段の一例として、シリアル通信部２３を設けている。
パラレル通信部２４は、第１後処理装置３０との間でパラレル通信による通信を行う。本実施の形態では、第１の処理装置との間でパラレル通信を行う第１の通信手段の一例として、パラレル通信部２４を設けている。
【００２３】
ここで、既に述べた通り、第１後処理装置３０としては、例えば、パンチ穴開け装置が考えられる。従って、パンチ穴開け装置との間でパラレル通信を行う場合に、各ポートでどのような情報が送受信されるかについて説明する。
図４は、各ポートに対する送受信される情報の割り当てを示した図である。
図示するように、ポート１には、本体装置１０がパンチ穴開け装置にパンチを指示する命令が割り当てられている。例えば、ポート１に「１」を設定して送信することにより、用紙にパンチを行うことをパンチ穴開け装置に指示することができ、ポート１に「０」を設定して送信することにより、用紙にパンチを行わないことをパンチ穴開け装置に指示することができる。
【００２４】
また、ポート２〜４には、パンチ穴開け装置から本体装置１０へ渡される状態情報が割り当てられている。例えば、本体装置１０は、ポート２にて「１」を受信することにより、ダストボックスが満杯になっていることを検知し、ポート３にて「１」を受信することにより、パンチ穴開け装置のカバーが開いていること検知し、ポート４にて「１」を受信することにより、パンチ穴開け装置内で用紙のジャムが発生していること検知する。
【００２５】
次に、第１後処理装置３０がパンチ穴開け装置であり、第２後処理装置４０が大容量スタック装置であり、第３後処理装置５０が綴じ折り装置である場合を例にとり、本実施の形態のインターフェイス装置２０におけるインターフェイス制御部２００の動作を説明する。
【００２６】
図５は、本体装置１０からの指示に応じて、各後処理装置を制御する際のインターフェイス制御部２００の動作を示したフローチャートである。
インターフェイス制御部２００では、まず、本体通信部２１が、後処理選択情報をシリアル通信で受信して信号解析部２２に受け渡す（ステップ２０１）。この場合、本体装置１０と各後処理装置との間では事前に通信が行われており、本体装置１０は、自身に如何なる後処理装置が接続されているかを認識している。そして、本体装置１０は、接続されている後処理装置における後処理内容を選択肢としてＵＩ（User Interface）に表示し、その選択肢の中からユーザが選択した後処理を特定する後処理選択情報をインターフェイス装置２０に伝え、これをインターフェイス装置２０のインターフェイス制御部２００がステップ２０１で受信している。
【００２７】
すると、信号解析部２２は、後処理選択情報の中にパンチ穴開け処理が含まれるかどうか、即ち、後処理としてパンチ穴開け処理が選択されたかどうかを判定する（ステップ２０２）。
その結果、パンチ穴開け処理が選択されたと判定されれば、信号解析部２２の指示により、パラレル通信部２４は、ポート１に「１」を設定してパンチ穴開け装置に送信する（ステップ２０３）。つまり、パンチを行うようにパンチ穴開け装置に指示する。
一方、パンチ穴開け処理が選択されなかったと判定されれば、信号解析部２２の指示により、パラレル通信部２４は、ポート１に「０」を設定してパンチ穴開け装置に送信する（ステップ２０４）。つまり、パンチを行わないようにパンチ穴開け装置に指示する。
【００２８】
また、信号解析部２２は、後処理選択情報の中のパンチ穴開け処理以外の後処理の指示に関する情報をシリアル通信部２３に伝え、シリアル通信部２３が、大容量スタック装置及び綴じ折り装置に対し、シリアル通信により指示を送信する（ステップ２０５）。尚、本体装置１０では、パンチ穴開け処理とその他の後処理が同時に選択されることもあれば、パンチ穴開け処理のみが選択され、その他の後処理が選択されないこともある。特に後者の場合は、ステップ２０５で、大容量スタック装置及び綴じ折り装置に対して、何の後処理も行わずに、上流から搬送されてきた用紙をそのまま下流へ搬送する指示を出す。
【００２９】
図６は、各後処理装置の状態情報を受信して本体装置１０に伝える際のインターフェイス制御部２００の動作を示したフローチャートである。
インターフェイス制御部２００では、まず、シリアル通信部２３又はパラレル通信部２４が状態情報を受信して信号解析部２２に受け渡す（ステップ２２１）。
すると、信号解析部２２は、状態情報がシリアル通信部２３からのものかパラレル通信部２４からのものかを判定する（ステップ２２２）。
その結果、シリアル通信部２３からのものと判定されると、状態情報は、大容量スタック装置又は綴じ折り装置の情報である。そこで、信号解析部２２は、この大容量スタック装置又は綴じ折り装置の状態情報を本体通信部２１に受け渡し、本体通信部２１が状態情報をシリアル通信により本体装置１０に伝える（ステップ２２３）。
【００３０】
一方、パラレル通信部２４からのものと判定されると、信号解析部２２は、パラレル通信部２４が何番のポートにて「１」を受信することにより、状態情報を受信したかどうかを判定する（ステップ２２４）。尚、ここでは、ポート２〜４でのみ、状態情報を受信することを前提にするが、状態情報を受け取るポートの番号はこれに限られるものではない。
【００３１】
ポート２で「１」を受信したのであれば、信号解析部２２は、ダストボックスが満杯である旨を本体通信部２１に伝え、本体通信部２１がその旨をシリアル通信により本体装置１０に伝える（ステップ２２５）。
また、ポート３で「１」を受信したのであれば、信号解析部２２は、カバーがオープンしている旨を本体通信部２１に伝え、本体通信部２１がその旨をシリアル通信により本体装置１０に伝える（ステップ２２６）。
更に、ポート４で「１」を受信したのであれば、信号解析部２２は、ジャムが発生している旨を本体通信部２１に伝え、本体通信部２１がその旨をシリアル通信により本体装置１０に伝える（ステップ２２７）。
これにより、本体装置１０は、インターフェイス装置２０から受け取った各後処理装置の状態をＵＩに表示することにより、ユーザに通知する。
【００３２】
ところで、本実施の形態では、本体装置１０から独立したインターフェイス装置２０が、第１後処理装置３０、第２後処理装置４０、第３後処理装置５０を制御するようにした。しかしながら、インターフェイス装置２０の機能を本体装置１０内部に設け、本体装置１０が第１後処理装置３０、第２後処理装置４０、第３後処理装置５０を制御する構成としてもよい。その場合、本体装置１０内部の信号解析部２２に相当する部分が、第１の処理装置における第１の処理及び第２の処理装置における第２の処理を制御する制御手段の一例となり、本体装置１０内部のシリアル通信部２３に相当する部分が、第２の処理装置との間でシリアル通信を行う第２の通信手段の一例となり、本体装置１０内部のパラレル通信部２４に相当する部分が、第１の処理装置との間でパラレル通信を行う第１の通信手段の一例となる。
【図面の簡単な説明】
【００３３】
【図１】本実施の形態が適用される画像形成システムの機構を示した図である。
【図２】本実施の形態が適用される画像形成システムの機能構成を示した図である。
【図３】本実施の形態のインターフェイス装置におけるインターフェイス制御部の機能構成を示したブロック図である。
【図４】本実施の形態においてパラレル通信の各ポートに対するパンチ穴開け装置との間で送受信される情報の割り当ての例を示した図である。
【図５】本実施の形態におけるインターフェイス制御部の後処理装置に動作指示を行う際の動作例を示したフローチャートである。
【図６】本実施の形態におけるインターフェイス制御部の後処理装置から状態情報を受ける際の動作例を示したフローチャートである。
【符号の説明】
【００３４】
１０…画像形成装置（本体装置）、２０…搬送装置（インターフェイス装置）、３０…第１後処理装置、４０…第２後処理装置、５０…第３後処理装置
【図１】
2010064408.tif 000003
【図２】
2010064408.tif 000004
【図３】
2010064408.tif 000005
【図４】
2010064408.tif 000006
【図５】
2010064408.tif 000007
【図６】
2010064408.tif 000008